(57)【特許請求の範囲】
【請求項１】
厚紙、合成樹脂等の可撓性と保形剛性とを具備する板材で形成された保持具が、
隣接して整列配置された複数の容器群の全頂面を覆いうる頂板部と、頂板部の周縁に連続する周辺部とで構成されており、
前記頂板部と周辺部との接続部位には、対応位置の容器のフランジ外縁の一部を横切るスリットが形成され、該スリットの少なくとも一部が鋸歯状部とされていると共に、
前記頂板部の中央寄りの帯域において、隣接する容器のフランジ外縁に対応する頂板部には、該フランジ外縁の下面に当接する係止舌片がスリットにより区画形成され、該スリットのフランジ外縁の下面に当接する部分は鋸歯状部とされている
フランジを有する容器の保持具。
【請求項２】
頂板部の周縁に連続する周辺部には、スリットの鋸歯状部の両端から周辺部下縁方向へ向かうスリットが形成されている請求項１記載のフランジを有する容器の保持具。
【発明の詳細な説明】
【０００１】
【発明の属する技術分野】
本発明は、ジャム、アイスクリーム、プリン等が収納され、開口部がアルミ箔のごとき金属箔の接着、巻き締めで密封されている外向きフランジを有する容器の複数個を一群として隣接させて整列させ、その一群を一括して保持するための厚紙、合成樹脂板等で成形された保持具に関する。
【０００２】
【従来の技術】
厚紙等で形成された頂板部とその周辺部とのみから形成された保持具としては、既に実開平７−２２９６２号公報等に示されるものが知られているが、何れも外向きフランジの下面が平坦な容器の保持には対応できるものの、開口部がアルミ箔等の金属箔の接着と巻き締めとで密封されている外向きフランジを有する容器の場合には、外向きフランジの下面が金属箔の巻き締めにより、図４に模型的断面図として示したごとく、アルミ箔６の外周縁７はフランジ下面において、半径方向外方へ放射状に走る小さな褶曲形状となっており、前記従来の保持具では、側面板の係止突起のフラットな先端縁が褶曲部８の凸部９に当接するため、十分な係止を行い得なくなり、保持具を把持して移動する際などに、僅かな揺動でも容器が脱落する問題がある。
【０００３】
【発明が解決しようとする課題】
各請求項の発明は、開口部が金属箔の巻き締めで密封されている外向きフランジを有する容器を、その外向きフランジを利用して保持した際の保持力が強く、保持具を把持して移動する際の揺動程度では容器の脱落が生ぜず、下面が平坦な外向きフランジを有する容器の保持の際にも確実な保持を実現できる保持具を提供することを課題としている。
【０００４】
【課題を解決するための手段】
前記課題を解決するため、請求項１の発明では、厚紙、合成樹脂板等の可撓性と保形剛性とを具備する板材で形成された頂板部が、隣接して整列配置された複数の容器群の全頂面を覆いうる広さとされ、該頂板部の周縁に周辺部が連続させられ、頂板部と周辺部との接続部位には、対応位置の容器のフランジ外縁の一部を横切るスリットが形成されており、該スリットの少なくとも一部が鋸歯状部とされていると共に、頂板部の中央寄り帯域には、隣接する各２個の容器の組のフランジ外縁の下面に当接する係止舌片がスリットにより区画形成され、該スリットの各フランジ外縁下面に当接する部分は鋸歯状とされているという構成とした。
【０００５】
請求項２の発明では、頂板部の周縁に連続する周辺部には、スリットの鋸歯状部の両端から周辺部下縁方向へ向うスリットが形成されているという構成を請求項１の発明に付加した。
【０００６】
【発明の実施の形態】
図１及び図２は、請求項１及び請求項２の両発明を併せ適用した実施の一例を示しており、図１に示す保持具１は、図２に示すごとく打ち抜き成形されたブランク２から折曲により成形される。
【０００７】
図示実施例の場合、保持具１は２列に隣接して整列配置された６個の容器３を保持するサイズ、形状とされており、個々の容器３は、図３に模型的縦断端面図として示したごとく、開口縁に外向きの水平なフランジ４を有し、開口部５は、アルミ箔６が易剥離接着によってフランジ４に接着されて密封され、アルミ箔６の外周縁７は巻き締めでフランジ４の下面において半径方向外方へ放射状に走る小さな褶曲形状の凹凸の連続構造となっている。
【０００８】
図示実施例の保持具１が折曲成形されるブランク２は、厚紙で打ち抜き成形されているが材料としては、合成樹脂板でもよく、可撓性と保形剛性を具備する材料であれば材質に格別の限定があるものではない。
【０００９】
図示例では３個ずつ２列に隣接して整列された容器の保持具が示されているが、保持具の強度の限度内であれば個数、並列する列数に特に限定が存するものでは無い。
【００１０】
ブランク２は、隣接して整列配置された６個の容器３の全頂面を覆いうる広さの頂板部１０と、その周縁１１に連続する４方の周辺部１２、１３、１４、１５とで構成されており、長さ方向の周辺部１２、１４は高さＨが、幅方向の周辺部１３、１５の高さＨより長く形成されている。なお、容器が１列配置の場合等の際は、幅方向の周辺部１３、１５は、省略されてもよい。
【００１１】
図２において、６個の小円Ａは容器の配置を示し大径の半円Ｂは容器フランジの占める位置を示しており、図１、図２において頂板部１０と周辺部１２〜１５との接続部位１６、１７、１８、１９、即ち頂板部１０の周縁１１には、フランジ４の外縁２０を横切るスリット２１、２２、２３、２４、２５、２６が形成されており、該スリット２１〜２６の少なくとも一部は鋸歯状部２７、２８、２９、３０、３１、３２とされている。
【００１２】
頂板部１０の中央寄りの帯域３３においては、隣接する各２個の容器、図示例で容器３Ａ、３Ｂの組と３Ｃ、３Ｄの組とのフランジ４の間、及び容器３Ｃ、３Ｄの組と３Ｅ、３Ｆの組とのフランジ４の間に対応する頂板部１０Ａと１０Ｂには、隣接する各フランジ４の外縁２０間にまたがる長さＬの係止舌片３４、３５、３６、３７がスリット３８、３９、４０、４１、４２、４３、４４で区画形成されており、各スリット４１〜４４のフランジ外縁２０の下面に当接する部分は鋸歯状部４５とされている。
【００１３】
周辺部１２〜１５に形成されたスリット２１〜２６に形成された鋸歯状部２７〜３２の左右両端からは、周辺部１２〜１５の下縁方向へ向うスリット４６、４７が形成されている。図示例ではスリット４６、４７はハ字状とされているが下縁と直交する方向でもよい。
【００１４】
またスリット２１〜２６の両端は頂板部１０側へ円弧状に屈曲させられており、また各周辺部１２〜１５に形成された各隣接するスリット２１〜２６の前記円弧状に屈曲させられた端部間には、該端部を結ぶ山折線４８が形成され、また前記頂板部１０の周縁１１たる該頂板部１０と周辺部１２〜１５との接続部位１６〜１９にも山折線４９が形成されている。
【００１５】
頂板部１０の中央寄りの帯域３３に形成された係止舌片３４〜３７にはスリット４１と４２との組とスリット４３と４４との組の各対向する端部間に山折線５０が形成され、また対向するスリット４１と４３との組と、スリット４２と４４との組の各対向する端部間には山折線５０と直交し、中央部で互いに近接する円弧状の谷折線５１、５２が形成されている。
【００１６】
前述のブランク２を、隣接して整列配置された６個の容器の頂面に当接し、各周辺部１２〜１５を下方へ折曲させるか、或いは平板上にブランク２を裏面を上向きとして静置し、小円Ａで示される位置に容器を倒立させて整列配置し、各周辺部１２〜１５を上方へ折曲させると、各スリット２１〜２６に臨んだフランジ４部分の外縁２０は、各スリットを押し開いて各周辺部１２〜１５の外面に突出し、図１に示す状態となる。
【００１７】
前述のフランジ４による各スリット２１〜２６の押し開きと周辺部１２〜１５の外面への突出は、各スリット２１〜２６の鋸歯状部２７〜３２の左右両端から周辺部１２〜１５の下縁方向へ向うスリット４６、４７の存在による鋸歯状部２７〜３２とスリット４６、４７とで囲まれた部分の弾性変形により、フランジ４の外縁２０の最初の当接部分がスリット２１〜２６内へ容易に挿入されることにより、円滑に行われる。
【００１８】
続いて、係止舌片３４〜３７を山折線５０において押し下げ又はブランク２が平板上に静置されている場合は押し上げにより折曲させると各係止舌片３４〜３７も図１に示す状態となる。係止舌片３４〜３７は、中央部で近接する円弧状の谷折線５１、５２の存在により、前記押し下げ、又は押し上げの際、この谷折線に沿って湾曲しながら撓曲し、フランジ下面へ容易に変位するが、鋸歯状部４５がフランジ下面の褶曲部と係合したのちは、円弧状の谷折線が、係止舌片３４〜３７が元の位置に戻るのを阻止する作用を生じ、不測の係止解除を防止する。
【００１９】
前述の周辺部１２〜１５及び係止舌片３４〜３７の折曲により、スリット２１〜２６及びスリット３８〜４４で区画されていた周辺部１２〜１５及び係止舌片３４〜３７側の鋸歯状部２７〜３２及び鋸歯状部４５は、図４に模型的断面として示したごとく、アルミ箔６の外周縁７の褶曲部８の凹部９Ａ内へ押入され、アルミ箔６の褶曲部８を確実に係止する。
【００２０】
既述の周辺部１２〜１５の折曲は、図示例の場合、山折線４８と４９とで生起されるので前記鋸歯状部２７〜３２の褶曲部８への係止位置は、山折線４９のみで折曲された場合の位置より容器側へ寄った位置となり、この傾斜は、スリット２１〜２６の両端が頂板部１０側へ円弧状に屈曲させられていることによっても、周辺部１２〜１５側のスリットによって区画された部分の容器側への変位が若干多くなることによっても助長される。
【００２１】
既述の本保持具１による容器の保持構造から明らかなごとく、本保持具１によって保持される容器の外形は、円筒形、截頭倒立円錐形、直６面体以外の角筒形等の外向き水平フランジを有する容器が好ましく、立方体或いは直６面体の容器の場合は異形フランジを形成する必要が存する。
【００２２】
ブランク２の頂板部１０の中央寄りの帯域に形成する係止舌片の形状は、図示実施例の形状に限定されるものでは無く、容器ごとの係止舌片でも、或いは隣接する２個の容器に係合する係止舌片でもよく、鋸歯状部を有する限り、その形状は任意に設計しうるものである。
【００２３】
【発明の効果】
請求項１の発明によると、従来のフランジを有する容器の保持具のフランジに係合する為のスリットの形状を、少なくとも一部に鋸歯状部を有する形状とするのみで、外向きフランジを有する容器の開口部が、金属箔の巻き締めで密封されており、フランジ下面に該金属箔の褶曲による半径方向に走る多数の凹凸が存する容器に対して、確実な係止を行いうる効果を奏し、フランジ上面に密封フィルム等が接着されている容器をも保持でき、保持具の汎用性を高めうるにもかかわらず、資材使用量や工程等の増加がなく、廉価に提供できる効果も奏する。
【００２４】
請求項２の発明によると、容器のフランジの周辺部のスリットの通過を、周辺部の折曲のみで容易に実現でき、かつ鋸歯状部の係合位置を容器寄りに深くしうる効果を奏する。
【図面の簡単な説明】
【図１】  実施の一例の半截斜視図である。
【図２】  図１に示す保持具のブランクの展開平面図である。
【図３】  容器の模型的断面図である。
【図４】  金属箔による巻き締め密封の適用されたフランジと鋸歯状部との係合構造を示す模型的断面図である。
【符号の説明】
１  保持具
３  容器
４  フランジ
１０  頂板部
１１  周縁
１２〜１５  周辺部
１６〜１９  接続部位
２１〜２６  スリット
２７〜３２  鋸歯状部
３３  中央寄りの帯域
３４〜３７  係止舌片
４６、４７  下縁方向へ向うスリット
【図１】
0004117696.tif 000002
【図２】
0004117696.tif 000003
【図３】
0004117696.tif 000004
【図４】
0004117696.tif 000005